(57)【特許請求の範囲】
【請求項１】
車室内の温度分布を解析し、車両に搭載された空調装置を評価するための温熱環境シミュレーション装置であって、
車両をモデル化した解析モデルの構成要素に、対象車両の構成要素を対応付けして設定するモデル設定手段と、
前記モデル設定手段によって設定された対象車両の解析モデルを用い、入力された解析条件に従って車室内の温度分布を求めるモデル解析手段と、
前記モデル設定手段で実行可能な設定機能のメニュー表示部と前記モデル解析手段で実行可能な解析機能のメニュー表示部とを区分して表示する表示処理手段と、
前記表示処理手段の表示するメニュー表示部のいずれかの機能が選択された場合、前記モデル設定手段、あるいは前記モデル解析手段の機能を選択して、対応する処理を開始させる機能選択手段と、
前記機能選択手段により、一方のメニュー表示部のいずれかの機能が選択された場合、他方のメニュー表示部の機能の選択を禁止する選択制御手段と、
を備え、
前記モデル設定手段は、各空調モードに対応した前記空調装置の吹き出し口の選択、あるいは組み合わせの条件を、各空調モードに関連づけた吹き出し口分類として設定する吹き出し口設定手段を含み、
前記モデル解析手段は、前記吹き出し口設定手段において設定された前記吹き出し口分類の中から、空調モードの指定によりシミュレーションで利用する前記吹き出し口分類を選択する吹き出し口選択手段を含むことを特徴とする温熱環境シミュレーション装置。
【請求項２】
前記モデル解析手段は、
前記吹き出し口選択手段において選択された前記吹き出し口分類に関係のない前記解析モデル中の吹き出し口を、車室内の温度分布を求める時に、該吹き出し口の周囲の壁と同一または断熱壁の条件として扱うモデル設定変換手段を含むことを特徴とする請求項１に記載の温熱環境シミュレーション装置。
【請求項３】
前記吹き出し口選択手段は、
前記吹き出し口設定手段において設定された前記吹き出し口分類に加えて、他の吹き出し口の選択が許容可能であることを特徴とする請求項１、または請求項２に記載の温熱環境シミュレーション装置。
【発明の詳細な説明】
【０００１】
【発明の属する技術分野】
この発明は、例えば空調装置等の製品開発時に、人体、及びその周辺の温熱環境をシミュレーションする温熱環境シミュレーション装置に関する。
【０００２】
【従来の技術】
従来より、例えば車両に搭載される空調装置（カーエアコン）の性能を、コンピュータ上の計算において解析する場合、まず任意の解析モデルを用意し、このモデルについての数値シミュレーションによる解析作業を行い、室内温熱環境を予測している。
このような数値シミュレーションの技術としては、「ＨＯＮＤＡ  Ｒ＆Ｄ  Ｔｅｃｈｎｉｃａｌ  Ｒｅｖｉｅｗ  Ｖｏｌ．１１  Ｎｏ．２（Ｏｃｔｏｂｅｒ  １９９９）」に発表された「自動車室内温熱環境を予測するシミュレーションの実用化方法」や「社団法人  自動車技術会  学術講演会前印刷集Ｎｏ．５０−００」に発表された「２２０  空調シミュレーションの実用化手法１」、「２２１空調シミュレーションの実用化手法２」に記載されたものなどがある。
これらの報告によれば、車体の部材構成が室内温熱環境へ与える影響は、伝熱３要素（対流、放射、伝導）の組み合わせに応じてさまざまな場合があり、例えば、空調モードを変更しただけでも、異なった不均一温度環境が形成されることが明らかにされている。従って、解析作業では、これらの影響が予測できるように車体をモデル化し、内気循環や外気導入、日射、空調モード等のさまざまな条件下で人体の温度や室内温度等を計算する必要がある。
また、数値シミュレーションによるカーエアコンの解析を行う場合、通常複数の解析条件に関するデータは、全てが１人の設計者により管理されているのが一般的である。更に、１つの解析作業を連続した作業として扱っていた。
【０００３】
特に、カーエアコンを設計する場合、車体を構成する部材や車体の大きさ等から決定される解析条件、車両に対する日射量等から決定される解析条件、空調モード（風の吹き出し口の数や風量）等から決定される解析条件というように、多種の項目から決定される解析条件がある。
従来は、これらの解析条件により、１つの解析作業の中で１人の設計者が個別のコンピュータ計算を繰り返し、最終的な解析結果を得ていた。
また、カーエアコンの性能を、コンピュータ上の計算において解析する製品開発支援装置としては、特開２０００−３４８２１４号公報に記載されたものが知られている。この製品開発支援装置は、設計者が入力する多くのデータに基づいて、エアコンの解析を行う。つまり、入力されたデータから、開発対象の製品のソリッドモデルを作成し、これを解析することで製品の能力を判断していた。
【０００４】
【発明が解決しようとする課題】
しかし、上述のような従来のカーエアコンの性能解析作業においては、エアコンの解析に必要な全てのデータを、設計者自らが入力しなければならないため、全ての解析条件を満足するデータを入力できない者には、解析作業ができないという問題があった。すなわち、上述のように、多種の項目から決定される解析条件があるため、従来は、カーエアコンの解析知識が十分にある者でなければ、カーエアコンの性能を解析することができなかったのである。
このことは、上述の製品開発支援装置においても解決しておらず、例えばカーエアコンのケース部のソリッドモデルを作成するためのデータの他、ケース内のブロア流量や熱交換量等、解析に必要なデータも全て入力できる者にしか利用できなかった。
また、例えば車体を構成する部材や車体の大きさ等、一度決定されるとその後に変更する可能性の少ない解析条件がある場合、解析作業の都度、この解析条件を入力し直すことは、作業効率の悪化を招くという問題があった。
更に、解析作業の都度、同様の解析条件からなる解析モデルを複数用意すると、解析作業に必要なメモリ等のコンピュータ資源を無駄に浪費するという問題があった。
【０００５】
本発明は、上記課題に鑑みてなされたもので、例えばカーエアコンの性能の解析作業において、カーエアコンの解析知識が不十分な者にでも、簡単に温熱環境をシミュレーションすることができる温熱環境シミュレーション装置を提供することを目的とする。
【０００６】
【課題を解決するための手段】
上記課題を解決するために、本発明は、車室内の温度分布を解析し、車両に搭載された空調装置を評価するための温熱環境シミュレーション装置であって、車両をモデル化した解析モデルの構成要素に、対象車両の構成要素を対応付けして設定するモデル設定手段（例えば実施の形態のモデル設定処理部１１）と、モデル設定手段によって設定された対象車両の解析モデルを用い、入力された解析条件に従って車室内の温度分布を求めるモデル解析手段（例えば実施の形態のモデル解析処理部１２）と、モデル設定手段で実行可能な設定機能のメニュー表示部とモデル解析手段で実行可能な解析機能のメニュー表示部とを区分して表示する表示処理手段（例えば実施の形態の表示処理部１４）と、表示処理手段の表示するメニュー表示部のいずれかの機能が選択された場合、モデル設定手段、あるいはモデル解析手段の機能を選択して、対応する処理を開始させる機能選択手段（例えば実施の形態の機能選択処理部１５）と、機能選択手段により、一方のメニュー表示部のいずれかの機能が選択された場合、他方のメニュー表示部の機能の選択を禁止する選択制御手段（例えば実施の形態の選択制御処理部１６）とを設けたことを特徴とする。
以上の構成により、モデル設定手段とモデル解析手段とを区別することで、共通な解析条件をモデル化し、各解析作業において共通利用することが可能となる。従って、例えばある車種の温熱環境シミュレーションを行う場合、その車種について空調装置の位置や風量、日射条件等、各種の解析条件をいろいろ変更していく中で、同じ作業を何度も繰り返し行わずに解析を実行することができる。
また、解析条件をモデル化することで、利用者は自分に必要なデータ入力さえ行えれば、空調装置の性能の解析作業を行えるようになる。更に、選択制御手段が、必要のない機能の操作を禁止するので、操作が簡単になり、比較的容易に利用することができるようになる。
【０００７】
さらに、本発明は、モデル解析手段は、モデル設定手段による設定が完了している解析モデルを取得する解析モデル取得手段（例えば実施の形態のステップＳ４１〜Ｓ４３）を含み、選択制御手段は、解析モデル取得手段により解析モデルが取得されると、解析機能のメニュー表示部の機能の選択を許可する解析許可手段（例えば実施の形態のステップＳ４４）を含むことを特徴とする。
以上の構成により、車両との対応付けがされていない解析モデルを利用したシミュレーションの実行を防止することができる。
【０００８】
そして、請求項１に記載の発明では、モデル設定手段は、各空調モードに対応した空調装置の吹き出し口の選択、あるいは組み合わせの条件を、各空調モードに関連づけた吹き出し口分類として設定する吹き出し口設定手段（例えば実施の形態のステップＳ３４）を含み、モデル解析手段は、吹き出し口設定手段において設定された吹き出し口分類の中から、空調モードの指定によりシミュレーションで利用する吹き出し口分類を選択する吹き出し口選択手段（例えば実施の形態のステップＳ５３）を含むことを特徴とする。
以上の構成により、煩雑な空調装置の吹き出し口の条件を、一度の操作で設定することができるようになる。また、吹き出し口の設定を間違えたり、設定し忘れる等の誤りを減少できる。
【０００９】
さらに、請求項２に記載の発明は、請求項１に記載の温熱環境シミュレーション装置において、モデル解析手段は、吹き出し口選択手段において選択された吹き出し口分類に関係のない解析モデル中の吹き出し口を、車室内の温度分布を求める時に、該吹き出し口の周囲の壁と同一または断熱壁の条件として扱うモデル設定変換手段（例えば実施の形態のステップＳ５６）を含むことを特徴とする。
以上の構成により、簡単な選択手段により空調装置の吹き出し口の条件を設定し、かつ温熱環境シミュレーション装置が、必要のない吹き出し口に関しては、自動的または「断熱壁として計算して良いか」の表示の後に車体を構成する壁として条件設定し、シミュレーションを実行してくれる。
【００１０】
さらに、請求項３に記載の発明は、請求項１、または請求項２に記載の温熱環境シミュレーション装置において、吹き出し口選択手段は、吹き出し口設定手段において設定された吹き出し口分類に加えて、他の吹き出し口の選択が許容可能であることを特徴とする。
以上の構成により、固定の吹き出し口の設定だけでなく、自由な吹き出し口の設定も可能とする。
【００１１】
【発明の実施の形態】
以下、図面を参照して本発明の実施の形態について説明する。
図１は、本実施の形態の構成を示すブロック図である。図１において、符号１は、本実施の形態による温熱シミュレーション装置である。温熱シミュレーション装置１には、周辺機器として、キーボード、マウス等を含む入力装置２や、ＣＲＴ（Cathode Ray Tube）ディスプレイ装置や液晶表示装置等を含む表示装置３が接続されている。
また、温熱シミュレーション装置１は、モデル設定処理部１１と、モデル解析処理部１２と、解析モデルデータベース１３と、表示処理部１４と、機能選択処理部１５と、選択制御処理部１６とから構成されている。
【００１２】
モデル設定処理部１１は、予めメッシュソフトを用いて車両をモデル化した解析モデル（メッシュモデル）の構成要素に、シミュレーションの対象とする車両（対象車両）の構成要素を対応付けして設定する。ここで、メッシュモデルとは、車両を構成するルーフやドア等の各要素、車両に搭乗する人体等をポリゴン（三角形等の多角形）を用いて表現したモデルのことである。
また、モデル設定処理部１１では、ファミリーと呼ばれるグループに分割したルーフやドア等の構成部材に対して、その属性と値を設定するファミリー設定を行う。更に、その他の解析計算に必要な係数の計算を行う。なお、ファミリー設定に関しては詳細を後述する。
モデル解析処理部１２は、モデル設定処理部１１で対象車両の構成要素との対応付けが行われた解析モデルを用い、入力された解析条件に従って車室内の温度分布を求める温熱シミュレーションを実行する。
【００１３】
解析モデルデータベース１３は、解析モデルが記録されたデータベースである。モデル設定処理部１１は、解析モデルデータベース１３から未設定の解析モデルを読み込み、解析モデルの構成要素に対して、対象車両の構成要素との対応付けを行い、解析モデルデータベース１３へ再度記録する。モデル解析処理部１２は、解析モデルデータベース１３に記録された、モデル設定処理部１１で設定済の解析モデルを取得して温熱シミュレーションを行う。
【００１４】
また、表示処理部１４は、温熱シミュレーション装置の制御画面や作業画面、更には表示画面を表示装置３へ表示する。なお、制御画面には、モデル設定処理部１１で実行可能な設定機能のメニュー表示部と、モデル解析処理部１２で実行可能な解析機能のメニュー表示部とを区分して表示する。作業画面には、各メニュー表示部において選択された内容の条件設定画面を作成して表示する。表示画面には、各メニュー表示部において選択された内容に従った表示画面を作成して表示する。
機能選択処理部１５は、表示処理部１４の表示するメニュー表示部のいずれかの機能が選択された場合、モデル設定処理部１１あるいはモデル解析処理部１２の機能を選択して、これに対応する処理の実行を開始させる。
【００１５】
選択制御処理部１６は、機能選択処理部１５、あるいはモデル設定処理部１１やモデル解析処理部１２における機能選択の可否を制御する。
例えば、機能選択処理部１５においてモデル設定処理部１１の設定機能のいずれかが選択された場合、表示処理部１４が表示するモデル解析処理部１２の解析機能の選択を禁止する。同様に、機能選択処理部１５においてモデル解析処理部１２の解析機能のいずれかが選択された場合、表示処理部１４が表示するモデル設定処理部１１の設定機能の選択を禁止する。
また、モデル設定処理部１１において、モデル設定処理部１１による設定が完了していない解析モデルが読み込まれた場合、表示処理部１４が表示するモデル解析処理部１２の解析機能の選択を禁止する。更に、モデル解析処理部１２において、モデル設定処理部１１による設定が完了している解析モデルが取得された場合、表示処理部１４が表示する「モデル選択」以外の解析機能の選択を許可する。
【００１６】
なお、解析モデルデータベース１３は、ハードディスク装置や光磁気ディスク装置、フラッシュメモリ等の不揮発性のメモリや、ＲＡＭ（Random Access Memory）のような揮発性のメモリ、あるいはこれらの組み合わせによるコンピュータ読み取り、書き込み可能な記録媒体より構成されるものとする。
【００１７】
また、モデル設定処理部１１と、モデル解析処理部１２と、表示処理部１４と、機能選択処理部１５と、選択制御処理部１６は、それぞれ、専用のハードウェアにより実現されるものであってもよく、また、メモリおよびＣＰＵ（中央演算装置）により構成され、上記の各部の機能を実現するためのプログラムをメモリにロードして実行することによりその機能を実現させるものであってもよい。
【００１８】
次に、本実施の形態の全体動作を、図２と図３を用いて説明する。
図２は、本実施の形態の温熱シミュレーション装置の画面全体を示す図である。図３は、本実施の形態の温熱シミュレーション装置の全体動作を示すフローチャートである。
まず、図２に示す表示装置３に表示された画面の一例を説明する。温熱シミュレーション装置１の画面は、表示処理部１４により、制御画面である制御エリア５０と作業画面である作業エリア５１、更には表示画面である表示エリア５２が表示される。また、制御エリア５０は、モデル設定処理部１１で実行される設定機能と、モデル解析処理部１２で実行される解析機能とが分離して表示されている。
【００１９】
次に、図３のフローチャートについて説明する。
図３において、まず利用者が温熱シミュレーション装置を起動すると、表示処理部１４が、制御エリア５０や作業エリア５１、更には表示エリア５２を表示装置３へ表示する（ステップＳ１）。なお、温熱シミュレーション装置１の立ち上げ直後に制御エリア５０で選択できる機能は、モデル設定処理部１１で実行される「メッシュ読み込み」機能と、モデル解析処理部１４で実行される「モデル選択」機能のみである。
次に、機能選択処理部１５は、表示処理部１４が表示装置３に表示する画面の制御エリア５０において、利用者に作業を選択させる（ステップＳ２）。
そして、選択された作業がモデル設定処理部１１で実行される設定機能と、モデル解析処理部で実行される解析機能のどちらであるかを判定する（ステップＳ３）。
ステップＳ３において、モデル設定処理部１１で実行される設定機能のいずれかが選択された場合、選択制御処理部１６がモデル解析処理部１２で実行される解析機能の選択を禁止する（ステップＳ４）。
一方、ステップＳ３において、モデル解析処理部１２で実行される解析機能のいずれかが選択された場合、選択制御処理部１６がモデル設定処理部１１で実行される設定機能の選択を禁止する（ステップＳ５）。ただし、設定機能の「メッシュ読み込み」機能と、解析機能の「モデル選択」機能が選択された場合、上述のメニューの選択制御は実行されない。
【００２０】
次に、ステップＳ２において選択された作業が、設定機能や解析機能の中のどの機能であるかを判別する（ステップＳ６）。
ステップＳ６において、選択された作業が判別できたら、選択された作業を実行する（ステップＳ７）。
選択された作業が終了したら、作業を続行するか否かを利用者に入力させる（ステップＳ８）。
ステップＳ８において、作業を続行する場合（ステップＳ８のＹＥＳ）、ステップＳ２へ戻り、上述の処理を繰り返す。
一方、ステップＳ８において、作業を終了する場合（ステップＳ８のＮＯ）、温熱シミュレーション装置１の動作を終了する。
【００２１】
図４は、制御エリア５０の表示例を示す図である。図４（ａ）は、上述のステップＳ４において、モデル設定処理部１１で実行される設定機能のいずれかが選択され、モデル解析処理部１２で実行される解析機能の選択が、選択制御処理部１６により禁止されたことを示す。また、図４（ｂ）は、上述のステップＳ４において、モデル解析処理部１２で実行される設定機能のいずれかが選択され、モデル設定処理部１１で実行される設定機能の選択が、選択制御処理部１６により禁止されたことを示す。
ここで、図４（ａ）では、太枠で囲われた「ファミリー設定」機能が選択されており、バツ印が書かれた「モデル選択」を含む解析機能の選択が禁止されている。なお、実際の画面の表示では、選択できない項目はグレイアウト等により表示する。図４（ｂ）で、モデル解析機能の一部が選択禁止にされている理由は後述する。
【００２２】
次に、図面を用いて、本実施の形態の温熱シミュレーション装置の「メッシュ読み込み」機能を説明する。図５は、図３に示したフローチャートのステップＳ７において、モデル設定機能の「メッシュ読み込み」機能が実行される場合の処理を示すフローチャートである。
図５において、まずモデル設定処理部１１は、画面上にファイルリストを表示する（ステップＳ１１）。
次に、モデル設定処理部１１は、利用者にファイルを選択させる（ステップＳ１２）。
ファイルが選択されたら、モデル設定処理部１１は、選択されたファイルを解析モデルデータベース１３から読み込む（ステップＳ１３）。
ファイルが読み込まれたら、読み込まれたファイルがモデル設定済みであるか否か（モデル設定処理で１度保存されたことがあるか否か）を判定する（ステップＳ１４）。
【００２３】
ステップＳ１４において、読み込まれたファイルがモデル設定済みである場合（ステップＳ１４のＹＥＳ）、「メッシュ読み込み」を終了する。
一方、ステップＳ１４において、読み込まれたファイルがモデル設定済みでない場合（ステップＳ１４のＮＯ）、選択制御処理部１６がモデル解析機能の選択を禁止し（ステップＳ１５）、「メッシュ読み込み」を終了する。なお、モデル解析機能が選択できないことは、モデル設定を先にするべきである（モデル解析作業ができない）ことを示す。
【００２４】
次に、図面を用いて、本実施の形態の温熱シミュレーション装置の「ファミリー設定」機能を説明する。図６は、図３に示したフローチャートのステップＳ７において、モデル設定機能の「ファミリー設定」機能が実行される場合の処理を示すフローチャートである。
ファミリー設定とは、ファミリーと呼ばれるグループに分割したルーフやドア等の構成部材に対して、その属性と値を設定することである。ファミリー設定には、部材ファミリーの定義や空調ファミリーの定義等がある。部材ファミリーの定義は、ルーフやドア等の壁体、フロントガラス等のガラス、人体などの定義づけを行う。空調ファミリーの定義は、吹き出し口や吸い込み口等の定義づけを行う。
以下、図６のフローチャートについて説明すると、まずモデル設定処理部１１は、画面上にファミリー設定リストを表示する（ステップＳ２１）。
次に、モデル設定処理部１１が、利用者にファミリー設定リストの中から、定義付けを行いたい項目を選択させる（ステップＳ２２）。
項目が選択されたら、モデル設定処理部１１は、選択された項目の設定画面を表示する（ステップＳ２３）。
次に、利用者の操作により、予め設定されたファミリーを表示する（ステップＳ２４）。
定義付けを行いたい項目とファミリーが表示されたら、ファミリーの設定を行う（ステップＳ２５）。
図７は、表示エリア５２に表示された解析モデルとそのファミリーの一例を示す図である。ファミリーには、ルーフ１００、フロントドア１０１、リアドア１０２、フロントガラス１０３、デフ１０４、ベント−Ｌ１０５、吸い込み口１０６等がある。
【００２５】
次に、図面を用いて、図６に示したフローチャートのステップＳ２５において実行されるファミリー設定の詳細を、吹き出し口の設定を例にして説明する。
図８は、「ファミリー設定」機能の「吹き出し口設定」処理を示すフローチャートである。
図６のステップＳ２２で、定義付けを行いたい項目として「吹き出し口」が選択され、かつステップＳ２４で、予め設定されたファミリーが表示されたら、吹き出し口にしたいファミリーを利用者に選択させる（ステップＳ３１）。
次に、吹き出し口設定画面において、空調モード指定の時に呼ばれる分類を利用者に選択させる（ステップＳ３２）。
また、この時、その他良く利用する条件等がある場合、ここで設定を行わせる（ステップＳ３３）。
そして、個別の吹き出し口の設定が終了したら、空調モードと吹き出し口の組み合わせの対応を利用者に設定させる（ステップＳ３４）。
全ての設定が完了したら、解析モデルデータベース１３へ設定を記録して（ステップＳ３５）、「吹き出し口設定」を終了する。
【００２６】
図９は、作業エリア５１における吹き出し口設定画面の表示例を示す図である。図９では、ファミリーの「ベント−Ｌ」を吹き出し口の「サイドベント」に指定し、その他風量や風の向きを指定する。
また、図１０は、ファミリー設定によってデフォルトの風向き１１０が割付けられたメッシュモデル１１１の表示エリア５２における表示例を示す図である。更に、以下に示す表１は、図８のステップＳ３４において設定する空調モードと吹き出し口の組み合わせの一例を示す表である。
【表１】
0003732758.tif 000002
表１では、各空調モードに対応する吹き出し口の組み合わせが指定されている。
【００２７】
次に、図面を用いて、本実施の形態の温熱シミュレーション装置の「モデル選択」機能を説明する。図１１は、図３に示したフローチャートのステップＳ７において、モデル解析機能の「モデル選択」機能が実行される場合の処理を示すフローチャートである。
図１１において、まずモデル解析処理部１２は、画面上にファイルリストを表示する（ステップＳ４１）。
次に、モデル解析処理部１２は、利用者にファイルを選択させる（ステップＳ４２）。
ファイルが選択されたら、モデル解析処理部１２は、選択されたファイルを解析モデルデータベース１３から読み込む（ステップＳ４３）。
ファイルが読み込まれたら、選択制御処理部１６がモデル解析機能の「モデル選択」機能以外の選択を許可し（ステップＳ４４）、「モデル選択」を終了する。
図１２は、制御エリア５０の表示例を示す図である。図１２では、「モデル選択」機能において適切なファイルが読み込まれたことにより、図４（ｂ）で一部が選択禁止にされていた空調モード選択や計算条件選択等の機能が選択許可になったことを示す。
【００２８】
次に、図面を用いて、本実施の形態の温熱シミュレーション装置の「空調モード選択」機能を説明する。図１３は、図３に示したフローチャートのステップＳ７において、モデル解析機能の「空調モード選択」機能が実行される場合の処理を示すフローチャートである。
図１３において、まずモデル解析処理部１２は、画面上に空調モードリストを表示する（ステップＳ５１）。
次に、モデル解析処理部１２は、利用者に空調モードを選択させる（ステップＳ５２）。
空調モードが選択されたら、モデル解析処理部１２は、空調モードに対応する吹き出し口の内容を、解析モデルデータベース１３から取得する（ステップＳ５３）。
吹き出し口の内容が取得できたら、モデル解析処理部１２は、画面上に空調モードと吹き出し口の内容を表示する（ステップＳ５４）。
そして、必要があれば、利用者に吹き出し口の内容を再設定させる（ステップＳ５５）。
そして、空調モードに対応する吹き出し口の選択が完了したら、選択されなかった吹き出し口の解析条件を、該吹き出し口の周囲の壁と同一または断熱壁の解析条件に一時的に置き換えて（ステップＳ５６）、「空調モード選択」を終了する。
【００２９】
図１４と図１５は、作業エリア５１に表示された各空調モードとデフォルトの吹き出し口の設定を示した図である。図１４（ａ）は、空調モード「ベント」では、センターベントとサイドベントが選択されることを示す。図１４（ｂ）は、空調モード「バイレベル」では、センターベントとサイドベント、更にフットが選択されることを示す。図１４（ｃ）は、空調モード「フット」では、デフトとサイドデフ、更にフットが選択されることを示す。図１５（ｄ）は、空調モード「フットデフ」では、サイドベントとデフ、更にサイドデフとフットが選択されることを示す。図１５（ｅ）は、空調モード「デフ」では、サイドベントとデフ、更にサイドデフが選択されることを示す。
また、利用者が吹き出し口を再設定する場合、マルの中をマウス等で選択することにより、選択と非選択（ＯＮ／ＯＦＦ）を指定する。
更に、例えば、図１４（ａ）では、選択されたセンターベントとサイドベント以外の吹き出し口は、シミュレーション時に自動的にそれぞれの吹き出し口の周囲の壁と同じかまたは断熱壁の解析条件で扱われる。
【００３０】
また、その他、利用者は計算モードの選択等を行い、以上のような手順で各解析条件が設定されたら、利用者はモデル解析処理部１２の計算実行機能により、温熱シミュレーションを行う。
温熱シミュレーションの結果は、モデル解析処理部１２の結果処理機能により表示エリア５２に表示される。
利用者は、この手順を繰り返し、自分が希望する解析条件のみを変更しながら温熱環境シミュレーションを行うことで、車両に最適な空調装置を設計する。
【００３１】
また、上述の温熱シミュレーション装置１は、その機能を実現するためのプログラムを、コンピュータ読みとり可能な記録媒体に記録して、この記録媒体に記録されたプログラムをコンピュータシステムに読み込ませ、実行することにより、上述の各装置における機能を実現しても良い。
【００３２】
ここで、上記「コンピュータシステム」とは、ＯＳや周辺機器等のハードウェアを含み、さらにＷＷＷ（Ｗｏｒｌｄ  Ｗｉｄｅ  Ｗｅｂ）システムを利用している場合であれば、ホームページ提供環境（あるいは表示環境）も含むものとする。また、「コンピュータ読みとり可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に、「コンピュータ読みとり可能な記録媒体」とは、インターネット等のコンピュータネットワークや電話回線等の通信回線を介してプログラムを送信する場合のように、短時間の間、動的にプログラムを保持するもの（伝送媒体もしくは伝送波）、その場合のサーバやクライアントとなるコンピュータシステム内部の揮発性メモリのように、一定時間プログラムを保持しているものも含むものとする。
【００３３】
また、上記プログラムは、前述した機能の一部を実現するためのものであっても良く、更に前述した機能をコンピュータシステムに既に記憶されているプログラムとの組み合わせで実現できるもの、いわゆる差分ファイル（差分プログラム）であっても良い。
【００３４】
【発明の効果】
以上の如く、本発明によれば、モデル設定手段とモデル解析手段とを区別し、共通な解析条件をモデル化することで、利用者は、同じ作業を何度も繰り返し行わずに解析を実行したり、自分に必要なデータ入力さえ行えれば、空調装置の性能の解析作業を行えるようになる。更に、選択制御手段が、温熱シミュレーション装置の操作において、必要のない機能の操作を禁止するので、操作が簡単になり、比較的容易に利用することができるようになる。
従って、全ての解析条件を理解していない、あるいはどこから作業を行えば良いか分からない等、空調装置の解析知識が不十分な者や装置の操作に不慣れな者にでも、簡単に温熱環境シミュレーションを実行することができるという効果が得られる。
また、解析条件をモデル化して共通利用することで、解析作業に必要なメモリ等のコンピュータ資源を有効に利用することができるようになる。
【００３５】
さらに、本発明によれば、対象車両との対応付けがされている解析モデルが取得された場合のみシミュレーションを許可する。従って、温熱環境シミュレーション装置に不慣れな利用者でも、間違えずに対象車両との対応付けがされている解析モデルを利用したシミュレーションを実行することができるという効果が得られる。
そして、請求項１に記載の発明によれば、モデル設定時に各空調モードに対応した空調装置の吹き出し口の選択、あるいは組み合わせの条件を設定することで、モデル解析時に、空調モードの指定のみで吹き出し口の設定を可能とした。従って、吹き出し口の設定を間違えたり、設定し忘れる等の誤りを減少し、各空調モードにおける詳細な吹き出し口の組み合わせを知らない利用者でも、比較的容易に温熱環境シミュレーションを行うことができるようになる。
【００３６】
さらに、請求項２に記載の発明によれば、シミュレーション時に吹き出し口として設定されなかった解析モデル中の吹き出し口を、該吹き出し口の周囲の壁と同一または断熱壁の条件として扱いシミュレーションを実行してくれる。
従って、利用者がシミュレーションの条件設定を間違えずに、正確にシミュレーションを実行できるという効果が得られる。
さらに、請求項３に記載の発明によれば、空調モード指定によるデフォルトの吹き出し口設定に対して、自由に吹き出し口を設定可能とする。従って、固定の吹き出し口条件による温熱環境シミュレーションだけでなく、利用者の自由な設計による温熱環境シミュレーションも行えるようになる。
【図面の簡単な説明】
【図１】  本発明の一実施の形態の構成を示すブロック図である。
【図２】  同実施の形態の温熱シミュレーション装置が表示する画面全体を示す図である。
【図３】  同実施の形態の温熱シミュレーション装置の全体動作を示すフローチャートである。
【図４】  同実施の形態の温熱シミュレーション装置の制御エリアの表示例を示す図である。
【図５】  同実施の形態の温熱シミュレーション装置のメッシュ読み込み機能の処理を示すフローチャートである。
【図６】  同実施の形態の温熱シミュレーション装置のファミリー設定機能の処理を示すフローチャートである。
【図７】  予めメッシュソフトを用いてモデル化された解析モデルとそのファミリーの一例を示す図である。
【図８】  同実施の形態の温熱シミュレーション装置の吹き出し口設定機能の処理を示すフローチャートである。
【図９】  同実施の形態の温熱シミュレーション装置の作業エリアの表示例を示す図である。
【図１０】  同実施の形態の温熱シミュレーション装置の表示エリアの表示例を示す図である。
【図１１】  同実施の形態の温熱シミュレーション装置のモデル選択機能の処理を示すフローチャートである。
【図１２】  同実施の形態の温熱シミュレーション装置の制御エリアの表示例を示す図である。
【図１３】  同実施の形態の温熱シミュレーション装置の空調モード選択機能の処理を示すフローチャートである。
【図１４】  同実施の形態の温熱シミュレーション装置の作業エリアの表示例を示す図である。
【図１５】  同実施の形態の温熱シミュレーション装置の作業エリアの表示例を示す図である。
【符号の説明】
１    温熱シミュレーション装置
２    入力装置
３    表示装置
１１    モデル設定処理部
１２    モデル解析処理部
１３    解析モデルデータベース
１４    表示処理部
１５    機能選択処理部
１６    選択制御処理部
Ｓ４１〜Ｓ４３    解析モデル取得手段
Ｓ４４    解析許可手段
Ｓ３４    吹き出し口設定手段
Ｓ５３    吹き出し口選択手段
Ｓ５６    モデル設定変換手段
【図１】
0003732758.tif 000003
【図２】
0003732758.tif 000004
【図３】
0003732758.tif 000005
【図４】
0003732758.tif 000006
【図５】
0003732758.tif 000007
【図６】
0003732758.tif 000008
【図７】
0003732758.tif 000009
【図８】
0003732758.tif 000010
【図９】
0003732758.tif 000011
【図１０】
0003732758.tif 000012
【図１１】
0003732758.tif 000013
【図１２】
0003732758.tif 000014
【図１３】
0003732758.tif 000015
【図１４】
0003732758.tif 000016
【図１５】
0003732758.tif 000017